(57)【要約】【課題】操作性を一層向上させた電子機器を提供する。【解決手段】電子機器１は、筐体前面に存在する表示領域の外周に位置する領域であって筐体前面の辺部及び角部から構成される周縁領域上の所定の各位置に加わる圧力を検出する複数の圧力センサ圧力センサ３０ａ、３０ｂ、３０ｃ、３０ｄと、複数の圧力センサから出力された検出値を用いて、周縁領域上の加圧位置を特定する加圧位置特定部１１０とを備える。【選択図】図２
2013054721.tif 000002
【特許請求の範囲】
【請求項１】
筐体前面に存在する表示領域の外周に位置する領域であって筐体前面の辺部及び角部から構成される周縁領域上の所定の各位置に加わる圧力を検出する複数の圧力センサと、
前記複数の圧力センサから出力された検出値を用いて、前記周縁領域上の加圧位置を特定する加圧位置特定部と
を備えることを特徴とする電子機器。
【請求項２】
請求項１に記載の電子機器において、
前記複数の圧力センサとして、筐体前面の４つの前記角部の夫々に加わる圧力を夫々検出する４つの圧力センサを備え、
前記加圧位置特定部は、
上位２つの検出値を出力した２つの圧力センサに挟まれる位置にある前記辺部を前記加圧位置として特定することを特徴とする電子機器。
【請求項３】
請求項２に記載の電子機器において、
前記加圧位置特定部は、
前記上位２つの検出値の比率に応じて、前記辺部上の一の位置を前記加圧位置として特定することを特徴とする電子機器。
【請求項４】
請求項１に記載の電子機器において、
前記複数の圧力センサとして、筐体前面の４つの前記角部の夫々に加わる圧力を夫々検出する４つの圧力センサを備え、
前記加圧位置特定部は、
１番目に大きい検出値と２番目に大きい検出値の比率が所定の閾値以上である場合、１番目に大きい検出値を出力した圧力センサの近傍を前記加圧位置として特定することを特徴とする電子機器。
【請求項５】
請求項１に記載の電子機器において、
前記複数の圧力センサとして、筐体前面の４つの前記辺部の夫々の略中心位置に加わる圧力を夫々検出する４つの圧力センサを備え、
前記加圧位置特定部は、
上位２つの検出値を出力した２つの圧力センサに挟まれる位置にある前記辺部又は角部を前記加圧位置として特定することを特徴とする電子機器。
【請求項６】
請求項５に記載の電子機器において、
前記加圧位置特定部は、
前記辺部を特定した場合、前記上位２つの検出値の比率に応じて、前記辺部上の一の位置を前記加圧位置として特定することを特徴とする電子機器。
【請求項７】
請求項１に記載の電子機器において、
前記複数の圧力センサとして、筐体前面の４つの前記辺部の夫々の略中心位置に加わる圧力を夫々検出する４つの圧力センサを備え、
前記加圧位置特定部は、
１番目に大きい検出値と２番目に大きい検出値の比率が所定の閾値以上である場合、１番目に大きい検出値を出力した圧力センサの近傍を前記加圧位置として特定することを特徴とする電子機器。
【請求項８】
請求項１に記載の電子機器において、
前記複数の圧力センサとして、筐体前面の前記周縁領域上の所定の３つの位置の夫々に加わる圧力を夫々検出する３つの圧力センサを備え、
前記加圧位置特定部は、
前記３つの圧力センサの各検出値に基づいて、前記周縁領域上の一の位置を前記加圧位置として特定することを特徴とする電子機器。
【請求項９】
請求項１に記載の電子機器において、
前記複数の圧力センサとして、筐体前面の４つの前記辺部のうち２つの前記辺部の中心位置以外の位置の夫々に加わる圧力を夫々検出する２つの圧力センサを備え、
前記加圧位置特定部は、
前記２つの圧力センサの各検出値に基づいて、筐体前面の一の辺部を前記加圧位置として特定することを特徴とする電子機器。
【請求項１０】
請求項１乃至請求項３又は請求項５乃至請求項９に記載の電子機器において、
前記表示領域への表示を制御する表示制御部を備え、
前記表示制御部は、
前記加圧位置特定部によって前記辺部、又は、前記辺部上の位置が前記加圧位置として特定された場合に、前記加圧位置として特定された前記辺部に応じて、又は、前記加圧位置として特定された位置を含む前記辺部に応じて、前記表示領域への表示を制御することを特徴とする電子機器。
【発明の詳細な説明】
【技術分野】
【０００１】
本発明は、電子機器に関するものである。
【背景技術】
【０００２】
従来、種々のセンサを備える電子機器が知られている（例えば、特許文献１参照）。
【先行技術文献】
【特許文献】
【０００３】
【特許文献１】特開２０１０−２５０６０８号公報
【発明の概要】
【発明が解決しようとする課題】
【０００４】
しかしながら、従来の電子機器の場合、ユーザの操作性に改善の余地がある。本発明は、操作性を一層向上させた電子機器を提供する。
【課題を解決するための手段】
【０００５】
上記問題を解決するために、本発明の一実施形態に係る電子機器は、筐体前面に存在する表示領域の外周に位置する領域であって筐体前面の辺部及び角部から構成される周縁領域上の所定の各位置に加わる圧力を検出する複数の圧力センサと、前記複数の圧力センサから出力された検出値を用いて、前記周縁領域上の加圧位置を特定する加圧位置特定部とを備えることを特徴とする。
【０００６】
上記電子機器において、前記複数の圧力センサとして、筐体前面の４つの前記角部の夫々に加わる圧力を夫々検出する４つの圧力センサを備え、前記加圧位置特定部は、上位２つの検出値を出力した２つの圧力センサに挟まれる位置にある前記辺部を前記加圧位置として特定するようにしてもよい。
【０００７】
上記電子機器において、前記加圧位置特定部は、前記上位２つの検出値の比率に応じて、前記辺部上の一の位置を前記加圧位置として特定するようにしてもよい。
【０００８】
上記電子機器において、前記複数の圧力センサとして、筐体前面の４つの前記角部の夫々に加わる圧力を夫々検出する４つの圧力センサを備え、前記加圧位置特定部は、１番目に大きい検出値と２番目に大きい検出値の比率が所定の閾値以上である場合、１番目に大きい検出値を出力した圧力センサの近傍を前記加圧位置として特定するようにしてもよい。
【０００９】
上記電子機器において、前記複数の圧力センサとして、筐体前面の４つの前記辺部の夫々の略中心位置に加わる圧力を夫々検出する４つの圧力センサを備え、前記加圧位置特定部は、上位２つの検出値を出力した２つの圧力センサに挟まれる位置にある前記辺部又は角部を前記加圧位置として特定するようにしてもよい。
【００１０】
上記電子機器において、前記加圧位置特定部は、前記辺部を特定した場合、前記上位２つの検出値の比率に応じて、前記辺部上の一の位置を前記加圧位置として特定するようにしてもよい。
【００１１】
上記電子機器において、前記複数の圧力センサとして、筐体前面の４つの前記辺部の夫々の略中心位置に加わる圧力を夫々検出する４つの圧力センサを備え、前記加圧位置特定部は、１番目に大きい検出値と２番目に大きい検出値の比率が所定の閾値以上である場合、１番目に大きい検出値を出力した圧力センサの近傍を前記加圧位置として特定するようにしてもよい。
【００１２】
上記電子機器において、前記複数の圧力センサとして、筐体前面の前記周縁領域上の所定の３つの位置の夫々に加わる圧力を夫々検出する３つの圧力センサを備え、前記加圧位置特定部は、前記３つの圧力センサの各検出値に基づいて、前記周縁領域上の一の位置を前記加圧位置として特定するようにしてもよい。
【００１３】
上記電子機器において、前記複数の圧力センサとして、筐体前面の４つの前記辺部のうち２つの前記辺部の中心位置以外の位置の夫々に加わる圧力を夫々検出する２つの圧力センサを備え、前記加圧位置特定部は、前記２つの圧力センサの各検出値に基づいて、筐体前面の一の辺部を前記加圧位置として特定するようにしてもよい。
【００１４】
上記電子機器において、前記表示領域への表示を制御する表示制御部を備え、前記表示制御部は、前記加圧位置特定部によって前記辺部、又は、前記辺部上の位置が前記加圧位置として特定された場合に、前記加圧位置として特定された前記辺部に応じて、又は、前記加圧位置として特定された位置を含む前記辺部に応じて、前記表示領域への表示を制御するようにしてもよい。
【発明の効果】
【００１５】
本発明によれば、操作性を一層向上させることができる。
【図面の簡単な説明】
【００１６】
【図１】本発明の一実施形態による電子機器１の外観模式図である。
【図２】電子機器１の機能ブロック図の一例である。
【図３】圧力センサ３０の配置、及び、加圧位置の特定に関する説明図である。
【図４】電子機器１の処理の流れを示すフローチャートの一例である。
【図５】圧力センサ３０の配置、及び、加圧位置の特定に関する説明図である。
【図６】圧力センサ３０の配置、及び、加圧位置の特定に関する説明図である。
【図７】表示制御に関する説明図である。
【発明を実施するための形態】
【００１７】
以下、図面を参照しながら本発明の一実施形態について説明する。図１は、本発明の一実施形態による電子機器１の外観模式図である。図２は、電子機器１の機能ブロック図の一例である。
【００１８】
電子機器１は、図１（ａ）（ｂ）に示すように、筐体前面に表示領域（表示画面）１２を有する。筐体前面上の表示領域１２の外周に位置する領域は、辺部１４−１、１４−２、１４−３、１４−４（図１（ａ）（ｂ）の網掛部分）、及び、角部１６−１、１６−２、１６−３、１６−４（図１（ａ）（ｂ）の斜線部分）から構成される周縁領域である。
以下、各辺部１４−１、１４−２、１４−３、１４−４を総称する場合、又は、一の辺部を特定しない場合、辺部１４と称する。各角部１６−１、１６−２、１６−３、１６−４を総称する場合、又は、一の角部を特定しない場合、角部１６と称する。
【００１９】
電子機器１は、下記の構成によって、周縁領域に圧力が加わった場合、周縁領域に加わった圧力によって筐体前面が押し下げられる。具体的には、例えば、筐体前面を形成する部材として周縁領域に加えられた圧力によって周縁領域が撓むような部材を使用するか、また、上記に代えてまたは加えて、筐体全体の構成として、周縁領域に加えられた圧力によって底部１８に対して筐体前面全体が傾くようにする。
【００２０】
電子機器１は、図２に示すように、４つの圧力センサ３０ａ、３０ｂ、３０ｃ、３０ｄ、及び、加圧位置特定部１１０を備える。以下、圧力センサ３０ａ、３０ｂ、３０ｃ、３０ｄを総称する場合、又は、一の圧力センサを特定しない場合、圧力センサ３０と称する。圧力センサ３０の夫々は、周縁領域上の所定の各位置に加わる圧力を検出する。
【００２１】
加圧位置特定部１１０は、４つの圧力センサ３０から出力された検出値（圧力値）を用いて周縁領域上の加圧位置を特定する。
【００２２】
図３は、圧力センサ３０の配置、及び、加圧位置の特定に関する説明図である。
４つの圧力センサ３０は、１つずつ、筐体前部の四隅（即ち、筐体前面の各角部１６の内側）に配置されている。つまり、図３（ａ）の如く、センサ３０ａを角部１６−１の内側に配置し、センサ３０ｂを角部１６−２の内側に配置し、センサ３０ｃを角部１６−３の内側に配置し、センサ３０ｄを角部１６−４の内側に配置されている。
図３（ａ）の場合、圧力センサ３０ａは、角部１６−１に加わる圧力を検出し、圧力センサ３０ｂは、角部１６−２に加わる圧力を検出し、圧力センサ３０ｃは、角部１６−３に加わる圧力を検出し、圧力センサ３０ｄは、角部１６−４に加わる圧力を検出する。
【００２３】
４つの圧力センサ３０が筐体前部の四隅に配置されている場合、加圧位置特定部１１０は、上位２つの検出値（１番目に大きい検出値、２番目に大きい検出値）を出力した２つの圧力センサ３０の配置位置に挟まれる位置にある辺部（２つの圧力センサ３０の配置位置の間の辺部）１４を加圧位置として特定する。
【００２４】
具体的には、例えば、図３（ｂ）に黒丸にて図示するように、圧力センサ３０ａ、３０ｂの２つが、上位２つの検出値を出力した場合、加圧位置特定部１１０は、２つの圧力センサ３０ａ、３０ｂの配置位置に挟まれる位置にある辺部１４−１を加圧位置として特定する。また、図３（ｃ）に黒丸にて図示するように、圧力センサ３０ｂ、３０ｃの２つが、上位２つの検出値を出力した場合、加圧位置特定部１１０は、２つの圧力センサ３０ｂ、３０ｃの配置位置に挟まれる位置にある辺部１４−２を加圧位置として特定する。
【００２５】
なお、上述の如く、筐体前部の四隅に配置された４つの圧力センサ３０の検出値を用いて、一の辺部１４を加圧位置として特定する態様の場合、加圧位置を含む辺部１４全体が加圧位置を中心に撓むように筐体前面を形成しておく。例えば、図３（ａ）のＡ点（辺部１４−１上の角部１６−２よりの位置）に圧力が加わった場合、辺部１４−１全体がＡ点を中心に撓むように筐体前面を形成しておく。なお、Ａ点に圧力が加わった場合には、圧力センサ３０ｂが１番目に大きい検出値を出力し、圧力センサ３０ａが２番目に大きい検出値を出力する。
【００２６】
また、上記に代えて、加圧位置を含む辺部１４側に筐体前面全体が傾くように筐体全体を構成しておいてもよい。例えば、図３（ａ）のＡ点に圧力が加わった場合、辺部１４−１側に筐体前面全体が傾くように構成しておく。なお、Ａ点に圧力が加わった場合には、圧力センサ３０ａ、ｂは、共に、最大の検出値を出力する。
【００２７】
上記例は、加圧位置特定部１１０が加圧位置として広く辺部１４を特定する例であるが、加圧位置特定部１１０は、より狭く辺部１４の一の位置を加圧位置として特定してもよい。つまり、加圧位置特定部１１０は、２つの圧力センサ３０の各検出値の比率（割合）に応じて、辺部１４の一の位置を加圧位置として特定してもよい。例えば、図３（ｂ）において、圧力センサ３０ａの検出値が１番目に大きく、圧力センサ３０ｂの検出値が２番目に大きい場合、加圧位置特定部１１０は、圧力センサ３０ｂの検出値（値ｂ）に対する圧力センサ３０ａ（値ａ）の検出値の比率（値ａ／値ｂ）を算出し、算出値が大きければ大きいほど、辺部１４−１上の圧力センサ３０ａの配置位置（即ち、角部１６−１）により近い一の位置を加圧位置として特定してもよい。
【００２８】
なお、上述の如く、比率を算出して、辺部１４上の一の位置を加圧位置として特定する態様の場合、加圧位置を含む辺部１４全体が加圧位置を中心に撓むように筐体前面を形成しておく。
【００２９】
また、加圧位置特定部１１０は、１番目に大きい検出値と２番目に大きい検出値の比率が所定の閾値以上である場合には、１番目に大きい検出値を出力した圧力センサ３０の近傍（当該圧力センサ３０の配置位置の近傍）を加圧位置として特定してもよい。例えば、図３（ｂ）において、圧力センサ３０ａの検出値（値ａ）が１番目に大きく、圧力センサ３０ｂの検出値（値ｂ）が２番目に大きく、両検出値の比率（値ａ／値ｂ）が所定の閾値以上である場合には、圧力センサ３０ａの近傍（即ち、角部１６−１）を加圧位置として特定してもよい。
【００３０】
なお、上述の如く、比率を算出して、角部１６を加圧位置として特定する態様の場合、加圧位置である角部１６を中心に周縁領域が撓むように筐体前面を形成しておく。
【００３１】
図４は、電子機器１の処理の流れを示すフローチャートの一例である。加圧位置特定部１１０は、各圧力センサ３０の検出値を取得する（ステップＳ１０）。加圧位置特定部１１０は、１番目に大きい検出値、２番目に大きい検出値の比率が、所定の閾値以上であるか否かを判断する（ステップＳ１２）。
【００３２】
加圧位置特定部１１０は、上記比率が所定の閾値以上である場合（ステップＳ１２：Ｙｅｓ）、１番目に大きい検出値を検出した圧力センサ３０の近傍を加圧位置として特定する（ステップＳ１４）。そして図４のフローチャートは終了する。
【００３３】
加圧位置特定部１１０は、上記比率が所定の閾値未満である場合（ステップＳ１２：Ｎｏ）、１番目に大きい検出値、２番目に大きい検出値を検出した２つの圧力センサ３０の配置位置に挟まれる位置（間の位置）にある辺部１４であって、両検出値の比率に応じた位置を加圧位置として特定する（ステップＳ１６）。そして図４のフローチャートは終了する。
【００３４】
図５は、圧力センサ３０の配置、及び、加圧位置の特定に関する説明図である。
上記においては、４つの圧力センサ３０が、１つずつ、筐体の四隅に配置されている例を説明したが、４つの圧力センサ３０の配置位置は、四隅に限定されない。
例えば、４つの圧力センサ３０を、１つずつ、筐体前部の四辺（即ち、筐体前面の各辺部１４の内側）の夫々の中心位置（略中心位置でもよい）に配置してもよい。つまり、図５（ａ）の如く、センサ３０ａを辺部１４−１の中心位置の内側に配置し、センサ３０ｂを辺部１４−２の中心位置の内側に配置し、センサ３０ｃを辺部１４−３の中心位置の内側に配置し、センサ３０ｄを辺部１４−４の中心位置の内側に配置するようにしてもよい。
図５（ａ）の場合、圧力センサ３０ａは、辺部１４−１の中心位置に加わる圧力を検出し、圧力センサ３０ｂは、辺部１４−２の中心位置に加わる圧力を検出し、圧力センサ３０ｃは、辺部１６−３の中心位置に加わる圧力を検出し、圧力センサ３０ｄは、辺部１６−４の中心位置に加わる圧力を検出する。
【００３５】
４つの圧力センサ３０が、筐体前部の四辺に配置されている場合、加圧位置特定部１１０は、上位２つの検出値（１番目に大きい検出値、２番目に大きい検出値）を出力した２つの圧力センサ３０の配置位置に挟まれる位置にある辺部１４又は角部１６を加圧位置として特定する。
【００３６】
具体的には、例えば、図５（ｂ）に黒丸にて図示するように、圧力センサ３０ａ、３０ｂの２つが、上位２つの検出値を出力した場合、加圧位置特定部１１０は、２つの圧力センサ３０ａ、３０ｂの配置位置に挟まれる位置にある角部１６−２を加圧位置として特定する。また、加圧位置特定部１１０は、角部１６−２に代えて又は加えて、２つの圧力センサ３０ａ、３０ｂの配置位置に挟まれる位置にある辺部１４−１（圧力センサ３０ａの配置位置と角部１６−２の間）、及び、辺部１４−２（圧力センサ３０ｂの配置位置と角部１６−２の間）を加圧位置として特定する。また、図５（ｃ）に黒丸にて図示するように、圧力センサ３０ｂ、３０ｃの２つが、上位２つの検出値を出力した場合、加圧位置特定部１１０は、２つの圧力センサ３０ｂ、３０ｃの配置位置に挟まれる位置にある角部１６−３を加圧位置として特定する。また、加圧位置特定部１１０は、角部１６−３に代えて又は加えて、２つの圧力センサ３０ｂ、３０ｃの配置位置に挟まれる位置にある辺部１４−２（圧力センサ３０ｂの配置位置と角部１６−３の間）、及び、辺部１４−３（圧力センサ３０ｃの配置位置と角部１６−３の間）を加圧位置として特定する。
【００３７】
なお、筐体前部の四辺に配置された４つの圧力センサ３０の検出値を用いて、一の辺部１４又は角部１６を加圧位置として特定する態様の場合、例えば、加圧位置を中心に周縁領域が撓むように筐体前面を形成しておくか、加圧位置側に筐体前面全体が傾くように筐体全体を構成しておく。
【００３８】
また、加圧位置特定部１１０は、圧力センサ３０を筐体前部の四辺の夫々の中心位置に配置した場合についても、筐体の四隅に配置した場合と同様、２つの圧力センサ３０の各検出値の比率に応じて、辺部又は角部の一の位置を加圧位置として特定してもよい。例えば、図５（ｂ）において、圧力センサ３０ａの検出値が１番目に大きく、圧力センサ３０ｂの検出値が２番目に大きい場合、加圧位置特定部１１０は、圧力センサ３０ｂの検出値（値ｂ）に対する圧力センサ３０ａ（値ａ）の検出値の比率（値ａ／値ｂ）を算出し、算出値が大きければ大きいほど、辺部１４−１上の圧力センサ３０ａの配置位置（即ち、辺部１４−１の中心部分）により近い一の位置を加圧位置として特定してもよい。
【００３９】
また、加圧位置特定部１１０は、圧力センサ３０を筐体前部の四辺の夫々の中心位置に配置した場合についても、筐体の四隅に配置した場合と同様、１番目に大きい検出値と２番目に大きい検出値の比率が所定の閾値以上である場合、１番目に大きい検出値を出力した圧力センサ３０の近傍（当該圧力センサ３０の配置位置の近傍）の近傍を加圧位置として特定してもよい。例えば、図５（ｂ）において、圧力センサ３０ａの検出値（値ａ）が１番目に大きく、圧力センサ３０ｂの検出値（値ｂ）が２番目に大きく、両検出値の比率（値ａ／値ｂ）が所定の閾値以上である場合には、圧力センサ３０ａの近傍（即ち、辺部１４−１の中心位置）を加圧位置として特定してもよい。
【００４０】
上述の如く、四辺に配置された４つの圧力センサ３０の検出値の比率を算出して、周縁領域上の一の位置（圧力センサの近傍も含む）を加圧位置として特定する態様の場合、加圧位置を中心に周縁領域が撓むように筐体前面を形成しておく。
【００４１】
図６は、圧力センサ３０の配置、及び、加圧位置の特定に関する説明図である。
上記においては、電子機器１が４つの圧力センサ３０を備える例を説明したが、電子機器が備える圧力センサの数は、４つに限定されない。
【００４２】
具体的には、周縁領域上の所定の３つの位置の夫々に圧力センサ３１（圧力センサ３１ａ、圧力センサ３１ｂ、圧力センサ３１ｃ）を配置してもよい。例えば、図６（ａ）の如く、センサ３１ａを辺部１４−１の中心位置以外の位置の内側に配置し、センサ３１ｂを角部１６−３の内側に配置し、センサ３１ｃを辺部１４−４の中心位置以外の位置の内側に配置するようにしてもよい。図６（ａ）の場合、圧力センサ３１の夫々は、周縁領域上の上記各配置位置の夫々に加わる圧力を夫々検出する。
【００４３】
上記場合、加圧位置特定部１１０は、圧力センサ３１ａ、３１ｂ、３１ｃの各検出値に基づいて、周縁領域上の一の位置を加圧位置として特定する。
例えば、加圧位置を含む辺部１４全体が加圧位置を中心に撓むように筐体前面を形成しておくことによって、図６（ａ）において、圧力センサ３１ｂの検出値に対する圧力センサ３１ａの検出値の比率は、Ｂ点（辺部１４−２上の角部１６−３から距離Ｌ１の位置）に圧力を加えた場合と、Ｃ点（辺部１４−２上の角部１６−３から距離Ｌ２の位置。距離Ｌ２＜距離Ｌ１）に圧力を加えた場合とで異なるため、Ｂ点が加圧位置であるかＣ点が加圧位置であるかを判別することができる。
また、例えば、加圧位置側に筐体前面全体が傾くように筐体全体を構成しておくことによって、圧力センサ３１ｂの検出値に対する圧力センサ３１ａの検出値、及び、圧力センサ３１ｂの検出値に対する圧力センサ３１ｃの検出値の比率は、Ｃ点に圧力が加わった場合と、Ｄ点（辺部１４−３上の角部１６−３から距離Ｌ２の位置）に圧力が加わった場合とで異なるため、Ｃ点が加圧位置であるかＤ点が加圧位置であるかを判別することができる。
【００４４】
また、周縁領域上の所定の２つの位置の夫々に圧力センサ３２（圧力センサ３２ａ、圧力センサ３２ｂ）を配置してもよい。例えば、図６（ｂ）の如く、センサ３２ａを辺部１４−１の中心位置以外の位置の内側に配置し、センサ３２ｂを辺部１４−１に対向する辺部１４−３の中心位置以外の位置の内側に配置するようにしてもよい。図６（ｂ）の場合、圧力センサ３１の夫々は、辺部１４上の上記各配置位置の夫々に加わる圧力を夫々検出する。なお、圧力センサ数が２の場合、筐体前面の形状は、正方形であることが好ましい（圧力センサ数が３以上の場合には、必ずしも正方形でなくてもよい）。
【００４５】
上記場合、加圧位置特定部１１０は、圧力センサ３２ａ、３２ｂの各検出値に基づいて、一の辺部を加圧位置として特定する。
例えば、加圧位置側に筐体前面全体が傾くように筐体全体を構成しておくことによって、圧力センサ３２ｂの検出値（値ｂ）の検出値（値ａ）は、辺部１４−２上のある位置に圧力が加わった場合と、辺部１４−３上のある位置に圧力が加わった場合とで異なるため、辺部１４−２が加圧位置であるか辺部１４−３が加圧位置であるかを判別することができる。なお、更に、加圧位置を含む辺部１４全体が加圧位置を中心に撓むように筐体前面を形成しておけば、上述の如く、Ｂ点（図５（ａ）と同一）が加圧位置であるかＣ点（図５（ａ）と同一）が加圧位置であるかを判別することができる。
【００４６】
以上のように、電子機器１は、筐体前面の周縁領域の押下位置を加圧位置として特定することができる。従って、電子機器１によれば、操作性を一層向上させることができる。つまり、電子機器１は、周縁領域の各位置の押下を入力操作として取り扱うことができるため、入力操作が簡単になる。
【００４７】
なお、電子機器１は、加圧位置として特定された辺部１４に応じて、又は、加圧位置として特定された位置を含む辺部１４に応じて、表示領域１２への表示を制御するようにしてもよい。
即ち、電子機器１は、表示領域１２への表示を制御する表示制御部（非図示）を更に備える構成とする。表示制御部は、加圧位置特定部１１０によって辺部１４、又は、辺部１４上の位置が加圧位置として特定された場合に、加圧位置として特定された辺部１４に応じて、又は、加圧位置として特定された位置を含む辺部１４に応じて、表示領域１２への表示を制御する。
【００４８】
図７は、表示制御に関する説明図である。
表示制御部は、例えば、電源投入直後の初期画面として、複数のアイコンを表示領域１２に表示するように制御する。例えば、図７（ａ）に示す縦横５個ずつの２５個のアイコン（Ｉ１、Ｉ２、…、Ｉ２５）のうち、破線枠Ｆ内にある縦横３個ずつの９個のアイコン（Ｉ７、Ｉ８、Ｉ９、Ｉ１２、Ｉ１３、Ｉ１４、Ｉ１７、Ｉ１８、Ｉ１９）を、図７（ｂ）に示すように表示領域１２に初期表示するように制御する。
【００４９】
表示制御部は、図７（ｂ）の表示状態において、例えば、辺部１４−２、又は、辺部１４−２上の位置が加圧位置として特定された場合、図７（ｃ）に示すように、初期状態からアイコン１個の列分、辺部１４−２側に移動させたときの９個のアイコン（Ｉ８、Ｉ９、Ｉ１０、Ｉ１３、Ｉ１４、Ｉ１５、Ｉ１８、Ｉ１９、Ｉ２０）を表示領域１２に表示するように制御する。つまり、表示制御部は、辺部１２−２に対応する方向である画面右側方向に、図７（ａ）の枠Ｆを１列移動させたときに移動後の枠Ｆ内に入る９個を表示領域１２に表示するように制御する。
表示制御部は、図７（ｂ）の表示状態において、例えば、辺部１４−３、又は、辺部１４−３上の位置が加圧位置として特定された場合、図７（ｃ）に示すように、初期状態からアイコン１個の行分、辺部１４−３側に移動させたときの９個のアイコン（Ｉ１２、Ｉ１３、Ｉ１４、Ｉ１７、Ｉ１８、Ｉ１９、Ｉ２２、Ｉ２２、Ｉ２４）を表示領域１２に表示するように制御する。つまり、表示制御部は、辺部１２−３に対応する方向である画面下側方向に、図７（ａ）の枠Ｆを１行移動させたときに移動後の枠Ｆ内に入る９個を表示領域１２に表示するように制御する。
【００５０】
辺部１４−３又は辺部１４−３上の位置が加圧位置として特定された場合、辺部１４−４又は辺部１４−４上の位置が加圧位置として特定された場合についても同様である。例えば、９個のアイコン（Ｉ８、Ｉ９、Ｉ１０、Ｉ１３、Ｉ１４、Ｉ１５、Ｉ１８、Ｉ１９、Ｉ２０）を表示領域１２に表示している表示状態において、辺部１４−４又は辺部１４−４上の位置が加圧位置として特定された場合、９個のアイコン（Ｉ７、Ｉ８、Ｉ９、Ｉ１２、Ｉ１３、Ｉ１４、Ｉ１７、Ｉ１８、Ｉ１９）を表示する初期表示に戻るように制御する。
【００５１】
なお、本発明の実施形態による電子機器１の処理を実行するためのプログラムをコンピュータ読み取り可能な記録媒体に記録して、当該記録媒体に記録されたプログラムをコンピュータシステムに読み込ませ、実行することにより、本発明の実施形態による電子機器１に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５３】
以上、この発明の実施形態について図面を参照して詳述してきたが、具体的な構成はこの実施形態に限られるものではなく、この発明の要旨を逸脱しない範囲の設計等も含まれる。
【符号の説明】
【００５４】
１…電子機器  １２…表示領域（表示画面）  １４…辺部  １６…角部（隅部）  １８…底部  ３０、３１、３２…圧力センサ  １１０…加圧位置特定部
【図１】
2013054721.tif 000003
【図２】
2013054721.tif 000004
【図３】
2013054721.tif 000005
【図４】
2013054721.tif 000006
【図５】
2013054721.tif 000007
【図６】
2013054721.tif 000008
【図７】
2013054721.tif 000009